(57)【要約】【課題】原子力施設の放射化の程度（放射化量、放射化量の分布）をより高精度で解析し、評価することを可能にする原子力施設の放射化量解析方法を提供する。【解決手段】原子力施設の各構造物に対し優先順位を設定し、優先順位に応じたメッシュサイズでメッシュタリーデータを作成し、３次元モンテカルロ計算を行ってメッシュタリー毎の中性子束を求め、各メッシュタリーの中性子束を用いて放射能インベントリ計算を行い、構造物毎の放射化量の空間分布データを作成するとともに、優先順位が異なり、重複するメッシュタリーデータを読み込み、優先順位が低い一方のメッシュタリーの重複部分を除外し、優先されるメッシュタリーを重複部分に組み込んで重複空間のない放射化量データを作成するようにした。【選択図】図２
2015121494.tif 000002
【特許請求の範囲】
【請求項１】
原子力施設の各構造物に対し優先順位を設定し、優先順位に応じたメッシュサイズでメッシュタリーデータを作成し、
３次元モンテカルロ計算を行ってメッシュタリー毎の中性子束を求め、
各メッシュタリーの中性子束を用いて放射能インベントリ計算を行い、構造物毎の放射化量の空間分布データを作成するとともに、
優先順位が異なり、重複するメッシュタリーデータを読み込み、優先順位が低い一方のメッシュタリーの重複部分を除外し、優先されるメッシュタリーを重複部分に組み込んで重複空間のない放射化量データを作成するようにしたことを特徴とする原子力施設の放射化量解析方法。
【発明の詳細な説明】
【技術分野】
【０００１】
本発明は、原子力施設の放射化量を解析する方法に関する。
【背景技術】
【０００２】
例えば、原子力発電所などの原子力炉施設が古くなるなどし、廃止措置を行う場合には、原子炉圧力容器などの燃料が存在する構造領域は勿論、その周囲にある生体遮蔽コンクリート等の遮蔽体や、各種配管・ダクト、機器等が配設された遮蔽体領域の放射化の程度、すなわち、放射能インベントリ（放射性核種濃度、放射化量）をできるだけ精度よく捉えて評価することが重要になる（例えば、特許文献１参照）。
【０００３】
そして、従来、原子力施設の放射化量を解析・評価する際には、例えば、原子炉などから放出される中性子スペクトルを用いて、原子炉圧力容器や配管・ダクト、設備機器、遮蔽体などの構造物（解体対象物）の中性子束を計算し、次に各構造物の中性子束を用いて放射能インベントリ計算を行い放射化量（放射化量分布）を求め、評価するようにしている。
【０００４】
また、このとき、特に原子力発電所などの大型の原子力施設の放射化量分布を求める際には、２次元多群中性子輸送計算コードにより、２次元平面を中心軸で回転させた円柱体系として構造物をモデル化するようにしている。
【先行技術文献】
【特許文献】
【０００５】
【特許文献１】特開２００４−５３５９９号公報
【発明の概要】
【発明が解決しようとする課題】
【０００６】
しかしながら、上記従来の方法、すなわち、原子炉などから放出される中性子スペクトルを用いて構造物の中性子束を計算し、この中性子束を用いて放射能インベントリ計算を行って放射化量（放射化量分布）を求める方法では、各構造物（解体対象物）の代表的な中性子束を使用するため、コンクリート製の遮蔽体などの大型の構造物内部における放射化量の分布を捉えることができない。
【０００７】
具体的に、上記従来のように、２次元多群中性子輸送計算コードにより、２次元平面を中心軸で回転させた円柱体系として構造物をモデル化すると、回転方向における非均質構造や球面形状などを正しく取り扱うことができず、且つ、数十ｃｍ以上の大きな空間要素が必要で、この数十ｃｍ未満のサイズの機器や構造物の部位（細部）を反映して放射化量の分布を求めることができないケースがある。特に、数十ｃｍ未満のサイズの開口部がある遮蔽体などの構造物では、開口部の影響が反映されず、正確に放射化量の分布を求めることができないおそれがある。
【０００８】
このため、遮蔽体内部の放射化量の区分が大雑把なものとなり、放射能濃度による区分に基づく廃棄物の物量評価も不正確なものになるという問題が生じる。また、放射能インベントリ計算は広く行われているが、施設の構造物全体を対象とするケースがなく、これに対応する手法が強く望まれていた。
【０００９】
本発明は、上記事情に鑑み、原子力施設の放射化の程度（放射化量、放射化量の分布）をより高精度で解析し、評価することを可能にする原子力施設の放射化量解析方法を提供することを目的とする。
【課題を解決するための手段】
【００１０】
上記の目的を達するために、この発明は以下の手段を提供している。
【００１１】
本発明の原子力施設の放射化量解析方法は、原子力施設の各構造物に対し優先順位を設定し、優先順位に応じたメッシュサイズでメッシュタリーデータを作成し、３次元モンテカルロ計算を行ってメッシュタリー毎の中性子束を求め、各メッシュタリーの中性子束を用いて放射能インベントリ計算を行い、構造物毎の放射化量の空間分布データを作成するとともに、優先順位が異なり、重複するメッシュタリーデータを読み込み、優先順位が低い一方のメッシュタリーの重複部分を除外し、優先されるメッシュタリーを重複部分に組み込んで重複空間のない放射化量データを作成するようにしたことを特徴とする。
ここで、本発明における原子力施設の構造物とは、原子力施設を構成する物を示し、あらゆる部材、機器、配管などを意味する。
【発明の効果】
【００１２】
本発明の原子力施設の放射化量解析方法においては、原子力施設の各構造物に対し優先順位を設定するとともに、優先順位に応じたメッシュサイズでメッシュタリーデータを作成し、３次元モンテカルロ計算を行ってメッシュタリー毎の中性子束を求め、各メッシュタリーの中性子束を用いて放射能インベントリ計算を行い、構造物毎の放射化量の空間分布データを作成する。
【００１３】
そして、優先順位が異なり、重複するメッシュタリーデータを読み込み、メッシュタリー毎の優先順位に応じて、優先順位が低い一方のメッシュタリーの重複部分を除外し、優先されるメッシュタリーを重複部分に組み込んで重複空間のない放射化量データを作成する。
【００１４】
これにより、従来の２次元多群中性子輸送計算コードにより２次元平面を中心軸で回転させた円柱体系として構造物をモデル化する方法と比較し、非均質構造や球面形状などを正しく取り扱うことができ、且つ、数十ｃｍ未満のサイズの機器や構造物の部位（細部）を反映して放射化量の分布を求めることが可能になる。
【００１５】
よって、本発明の原子力施設の放射化量解析方法によれば、原子力施設の放射化の程度をより高精度で解析することができ、原子力施設を廃止する場合等、構造物を解体することで発生する放射性廃棄物の放射化量を正確に捉え、放射能濃度区分によってそれらの物量を正確に評価することができる。これにより、廃止コストなどを最適化することができる。
【図面の簡単な説明】
【００１６】
【図１】本発明の一実施形態に係る原子力施設の一例を示す図である。
【図２】本発明の原子力施設の放射化量解析方法を示すフロー図である。
【図３】本発明の原子力施設の放射化量解析方法において、原子力施設の構造物の放射化量の空間分布データを可視化した図である。
【図４】本発明の原子力施設の放射化量解析方法において、原子力施設の構造物の任意の選択部位の放射化量の空間分布データを可視化した図である。
【図５】本発明の原子力施設の放射化量解析方法において、原子力施設の構造物の任意の選択部位の放射化量の空間分布データを可視化した図である。
【図６】本発明の原子力施設の放射化量解析方法において、原子力施設の構造物の任意の選択部位の放射化量の空間分布データを可視化した図である。
【図７】本発明の原子力施設の放射化量解析方法において、優先順位が低い一方のメッシュタリーの重複部分を除外し、優先されるメッシュタリーを重複部分に組み込んだ状態を示す図である。
【図８】本発明の原子力施設の放射化量解析方法において、優先順位が低い一方のメッシュタリーの重複部分を除外し、優先されるメッシュタリーを重複部分に組み込み、精度よく放射化量の空間分布データを作成し、可視化した図である。
【発明を実施するための形態】
【００１７】
以下、図１から図８を参照し、本発明の一実施形態に係る原子力施設の放射化量解析方法について説明する。なお、本実施形態では、例えば、原子力施設の廃止措置を行うにあたり、原子炉圧力容器などの燃料が存在する炉心構造領域の周囲にある原子炉機器、遮蔽体などを含む遮蔽体領域の構造物の放射化の程度、すなわち、放射能インベントリ（放射性核種濃度、放射化量）を精度よく求めるものとして説明を行う。
【００１８】
はじめに、本実施形態の原子力施設１は、図１に示すように、原子力発電所などの原子炉施設であり、例えば、基礎スラブ２の上に設けられた円筒状のペデスタル３に支持されて原子炉圧力容器４が設置され、この原子炉圧力容器４を囲むように格納容器、遮蔽体５等が配設されている。また、基礎スラブ２、ペデスタル３を含め、特に格納容器や遮蔽体５は、普通コンクリートや重晶石コンクリートを用いて構築されるとともに、ステンレス鋼板などを一体に備え、放射線の遮蔽能力が高まるように構築されている。
【００１９】
また、遮蔽体５には開口部５ａが貫通形成され、この開口部５ａにダクト（配管）６が挿通して配設されており、このダクト６を通じて遮蔽体５の内側の原子炉圧力容器や格納容器などと、遮蔽体５の外側の蒸気発生器や加圧器、制御機器など（原子炉機器）とが接続されている。
【００２０】
そして、上記のような原子力施設１の廃止措置を行うにあたり、この原子力施設１の放射化量を解析・評価する際には（本実施形態の原子力施設の放射化量解析方法においては）、図２に示すように、ダクト６、各種機器、遮蔽体５などの原子力施設１の解体対象物である各構造物の形状データから、この原子力施設１の構造物を３次元的に取り扱える３次元モンテカルロコード用の幾何形状モデルを作成する。
【００２１】
また、各構造物の放射化量の内部分布を評価するため、必要な空間要素のサイズに細分化したメッシュタリーを作成する。このとき、予め構造物形状データ等に基づいてメッシュタリーの優先順位を指定し、この優先順位に応じ、各構造物、部位のメッシュタリーのメッシュサイズを設定する。
【００２２】
このとき、メッシュタリーの優先順位、ひいてはメッシュタリーのメッシュサイズは、原子力施設１の構造に合わせて設定することになる。メッシュタリーは、直方体と扇形立体の２種類があり、中性子束の変化が大きい遮蔽体５の開口部５ａやダクト（配管）６などにそれぞれ個別に対応させて、そのサイズ設定を行う。
【００２３】
ここで、本願の発明者らによる研究等により、原子炉の放射化量分布評価のために許容できる最大空間サイズは、径方向（横方向）が１０ｃｍ、軸方向（上下方向）が３０ｃｍであることが知見として得られている。これに基づき、本実施形態において、遮蔽体５に対しては径方向と軸方向のメッシュタリーの設定サイズ（メッシュのサイズ）を３０〜５０ｃｍとし、ダクト６に対しては径方向１０ｃｍ、軸方向３０ｃｍの設定サイズにしてメッシュタリーを作成する。
【００２４】
そして、原子炉の運転履歴、燃焼集合体と制御棒の配置履歴、燃料の燃焼度履歴、物質組成（燃料組成分布）などの線源データを予め取得しておき、この線源データ、３次元モンテカルロコード用の幾何形状モデルを基にして３次元モンテカルロ計算を行い、メッシュタリー毎の中性子束を求める。
【００２５】
さらに、各メッシュタリーの中性子束（中性子束ファイル）を用いて放射能インベントリ計算を行い、メッシュ点毎の放射化量を求めるとともに、構造物毎の空間分布データを作成する。また、この空間分布データから可視化ツールで放射化量の空間分布を３次元的にカラー等で識別できるように描画する。
【００２６】
ここで、例えば図３は放射化量の空間分布データを３次元的に可視化した一例であり、図４から図６は任意に選択した部位を表示した一例である。
【００２７】
図４に示すように、遮蔽体（遮蔽壁）５を貫通するダクト（配管）６が左右それぞれ２カ所ずつあり、この段階では、それぞれメッシュサイズが異なる円筒状の遮蔽体５内部のメッシュタリーと、ダクト部分のメッシュタリーの空間分布データがダクト６、開口部５ａ部分で重複している。
【００２８】
このため、本実施形態の原子力施設の放射化量解析方法では、図２に示すように、重複するメッシュタリーデータを読み込み、メッシュタリー毎の優先順位に応じて一方のメッシュタリーを除外して重複空間のない放射化量データを作成する。
【００２９】
具体的に、例えば、図７に示すように、遮蔽体５の領域では遮蔽体５のメッシュタリーからダクト６部分を除外し、ダクト６部分の領域では、このダクト６部分のメッシュタリーを抽出し、遮蔽体５の領域のダクト６部分に、ダクト６部分の領域で抽出したダクト６部分のメッシュタリーを組み込む。
【００３０】
このとき、重複したタリーを排除する際には、優先順位が異なり、重複する２つのメッシュタリーデータを読み込む。そして、重複部分が取り除かれる一方のメッシュタリー（図７では遮蔽体５に相当）をＭ１、優先されるメッシュタリー（図７ではダクト６に相当）をＭ２とすると、Ｍ２の表面メッシュを抽出し、その表面メッシュの法線ベクトルを求める。
【００３１】
さらに、Ｍ２の表面メッシュからの距離を陰関数で表現する。また、Ｍ１の各メッシュ点からＭ２の表面メッシュまでの距離を上記の陰関数で求める。そして、距離がゼロになる位置（Ｍ２の表面メッシュ）を線形補間により推定する。
【００３２】
この距離がゼロになる位置を持つＭ１のメッシュを重複メッシュとして設定し、Ｍ１からこの重複メッシュを除外する。また、Ｍ１の重複メッシュを除外することで発生する中間部分（Ｍ２の重複メッシュとの隙間）を３次元Delaunary四面体分割により充填し直す。これにより、タリーの重複をなくしたデータファイルが好適に作成されるとともに、詳細に放射化量の空間分布データが作成された優先タリーを組み込んだデータファイルが作成される。
【００３３】
このように各構造物や開口部５ａなどに対応して複数存在するメッシュタリーは空間的に重複しているため、本実施形態の原子力施設の放射化量解析方法では、図２及び図８に示すように、指定した優先順位に基づいて空間的な重複を排除することにより、重複しない一義的に定まる空間座標を持った中性子束や放射能量の分布データファイルを作成する。また、このデータファイルを基に、可視化ツールで放射化量分布を３次元的にカラー等で識別できるように描画する。これにより、任意の切断面での内部領域の放射化量分布を容易に把握できるようになる。
【００３４】
さらに、可視化ツールを用い、細分化した空間座標の放射化量分布から任意のレベル区分毎に構造物の体積や重量の物量を求めることで、精度よく放射能濃度区分による物量評価が行なえる。
【００３５】
なお、本実施形態の原子力施設の放射化量解析方法において、上記線源データは、次のようにして求めることができる。例えば、原子炉の運転履歴と、原子炉の幾何形状データ、及び燃焼集合体と制御棒の配置履歴、燃料の燃焼度履歴と、物質組成（燃料組成分布）のデータを予め取得する。
【００３６】
そして、燃料の燃焼度履歴と集合体の配置履歴の時間変化毎の炉心構成に対応した中性子スペクトルを、３次元モンテカルロ計算によって算出する（時間変化条件毎の中性子スペクトル算出）。この３次元モンテカルロ計算では、原子炉の運転履歴と、原子炉の幾何形状データ、及び燃焼集合体と制御棒の配置履歴、燃料の燃焼度履歴と、物質組成（燃料組成分布）の輸送計算に必要なデータを用い、モンテカルロ輻射伝達臨界モード方法、モンテカルロ輻射伝達連続臨界モード及び固定ソースモード方法を選択的に用いて、時間変化条件毎の中性子スペクトル（及びガンマスペクトル）を求める。
【００３７】
そして、線源データとして、物質組成（燃料組成分布）の放射化計算に必要なデータとともに、時間変化条件毎の中性子スペクトル算出で求めた時間と領域別の中性子スペクトル、放射化断面積、運転履歴のデータを入力すればよい。
【００３８】
したがって、本実施形態の原子力施設の放射化量解析方法においては、原子力施設の各構造物に対し優先順位を設定するとともに、優先順位に応じたメッシュサイズでメッシュタリーデータを作成し、３次元モンテカルロ計算を行ってメッシュタリー毎の中性子束を求め、各メッシュタリーの中性子束を用いて放射能インベントリ計算を行い、構造物毎の放射化量の空間分布データを作成する。
【００３９】
そして、優先順位が異なり、重複するメッシュタリーデータを読み込み、優先順位が低い一方のメッシュタリーの重複部分を除外し、優先されるメッシュタリーを重複部分に組み込んで重複空間のない放射化量データを作成する。
【００４０】
これにより、従来の２次元多群中性子輸送計算コードにより２次元平面を中心軸で回転させた円柱体系として構造物をモデル化する方法と比較し、非均質構造や球面形状などを正しく取り扱うことができ、且つ、数十ｃｍ未満のサイズの機器や構造物の部位（細部）を反映して放射化量の分布を求めることが可能になる。
【００４１】
よって、本実施形態の原子力施設の放射化量解析方法によれば、原子力施設の放射化の程度をより高精度で解析することができ、原子力施設を廃止する場合等、構造物を解体することで発生する放射性廃棄物の放射化量を正確に捉え、放射能濃度区分によってそれらの物量を正確に評価することができる。これにより、廃止コストなどを最適化することができる。
【００４２】
また、可視化ツールにより、構造物の放射化量が高い領域と低い領域を視覚的に正しく認識することができ、適切な解体工事計画の立案やＰＡ（パブリックアクセプタンス）活動に資することが可能になる。
【００４３】
以上、本発明に係る原子力施設の放射化量解析方法の一実施形態について説明したが、本発明は上記の一実施形態に限定されるものではなく、その趣旨を逸脱しない範囲で適宜変更可能である。
【００４４】
例えば、本実施形態では、原子力施設が、原子力発電所などの原子炉施設であるものとして説明を行ったが、本発明は、放射化される構造物が存在するあらゆる施設に対し適用可能である。
【符号の説明】
【００４５】
１      原子力施設
２      基礎スラブ
３      ペデスタル
４      原子炉圧力容器
５      遮蔽体
５ａ    開口部
６      ダクト（配管）
Ｍ１    重複部分が除外されるメッシュタリー
Ｍ２    優先されるメッシュタリー
【図１】
2015121494.tif 000003
【図２】
2015121494.tif 000004
【図７】
2015121494.tif 000005
【図３】
2015121494.tif 000006
【図４】
2015121494.tif 000007
【図５】
2015121494.tif 000008
【図６】
2015121494.tif 000009
【図８】
2015121494.tif 000010